(57)【要約】【課題】  新しい業務用クリーニング方法とその方法に用いるための業務用加熱プレス機を提供しようとする。【解決手段】  従来の衣服を業務としてクリーニングする業務用クリーニング方法に変わって、衣服を洗う洗い工程と、洗われた衣服を熱風で乾燥させる乾燥工程と、乾燥した衣服をプレスするプレス工程と、を備え、前記プレス工程が、乾燥した衣服の特定の部位である特定部位に霧吹きする霧吹き工程と、霧吹きされた特定部位を加熱プレスする加熱プレス工程と、を有するものとする。【選択図】    図１
2017189494.tif 000002
【特許請求の範囲】
【請求項１】
衣服を業務としてクリーニングする業務用クリーニング方法であって、
衣服を洗う洗い工程と、
洗われた衣服を乾燥させる乾燥工程と、
乾燥した衣服を成形する成形工程と、
を備え、
前記成形工程が、
乾燥した衣服の特定の部位である特定部位に霧吹きする霧吹き工程と、
霧吹きされた特定部位を加熱プレスする加熱プレス工程と、
を有する、
ことを特徴とする業務用クリーニング方法。
【請求項２】
衣服の前記特定部位を保持できるダミーまたは鏝である保持部材と鏝との間に衣服を挟んで加熱プレスする加熱プレス機を準備する準備工程と、
を備え、
前記成形工程が、
乾燥した衣服の前記特定部位を前記保持部材に保持させるセット工程と、
を有し、
前記加熱プレス工程が前記保持部材に保持された特定部位を鏝でプレスして霧吹きされた特定部位を加熱プレスする、
ことを特徴とする請求項１に記載の業務用クリーニング方法。
【請求項３】
前記霧吹き工程が前記保持部材に保持された乾燥した衣服の特定部位に霧吹きする、
ことを特徴とする請求項２に記載の業務用クリーニング方法。
【請求項４】
複数の衣服の各々毎に前記洗い工程と前記乾燥工程と前記プレス工程とを繰り返し、
前記プレス工程が複数の前記特定部位の各々毎に前記セット工程と前記霧吹き工程と前記加熱プレス工程と繰り返す、
ことを特徴とする請求項３に記載の業務用クリーニング方法。
【請求項５】
衣服を業務としてクリーニングするために衣服の特定の部位である特定部位を加熱プレスする業務用加熱プレス機であって、
特定部位を保持できるダミーまたは鏝である保持部材と、
特定部位に霧吹きできる霧吹き機器と、
前記保持部材に保持された特定部位をプレスできる鏝と、
前記保持部材に保持された特定部位を前記鏝でプレスした状態で特定部位を加熱する加熱装置と、
を備える、
ことを特徴とする業務用加熱プレス機、
【請求項６】
前記霧吹機器が前記保持部材に保持された特定部位に霧吹きできる、
ことを特徴とする請求項５に記載の業務用加熱プレス機。
【請求項７】
衣服を業務としてクリーニングするために衣服の特定の部位である特定部位を加熱プレスする業務用加熱プレス機であって、
特定部位を保持できるダミーまたは鏝である保持部材と、
特定部位に霧吹きできる霧吹き機器と、
前記保持部材に保持された特定部位をプレスできる鏝と、
前記保持部材と前記鏝との相対位置を第一ポジションと第二ポジションとの間で往来させる往来機器と、
前記保持部材に保持された特定部位を鏝でプレスした状態で特定部位を加熱する加熱装置と、
を備え、
前記保持部材と前記鏝との相対位置が前記第一ポジションに位置するときに特定部位を前記保持部材に保持させることをでき、
前記保持部材と前記鏝との相対位置が前記第二ポジションに位置するときに前記保持部材に保持された特定部材を前記鏝でプレスできる、
ことを特徴とする業務用加熱プレス機、
【請求項８】
前記保持部材と前記鏝との相対位置が前記第一ポジションから前記第二ポジションへ移動する過程のどこかで、
前記霧吹き機器が前記保持部材に置かれた特定部位に霧吹きできる、
ことを特徴とする請求項７に記載の業務用加熱プレス機。
【発明の詳細な説明】
【技術分野】
【０００１】
本発明は、衣服を業務としてクリーニングする業務用クリーニング方法とそのための業務用加熱プレス機
【背景技術】
【０００２】
クリーニング業は、衣服を業務としてクリーニングする業態である。
【０００３】
一般的な業務用クリーニング方法は、洗い機と脱水機と加熱プレス機を用いて行う。
洗い機を用いて衣服を洗い、脱水機を用いて洗った衣服を脱水し、加熱プレス機を用いて脱水した衣服を加熱プレスする。
【０００４】
業務用加熱プレス機は、衣服を業務としてクリーニングするために衣服の特定の部位である特定部位を加熱プレスする。
業務用加熱プレス機は、保持部材と鏝と加熱装置とで構成される。
保持部材は、特定部位を保持するものである。保持部材が鏝であることもある。
鏝は、保持部材に置かれた特定部位に被せることができる。
加熱装置は、保持部材に保持された特定部位を鏝でプレスした状態で特定部位を加熱する機器である。      
この加熱プレス機を用いると、脱水された衣服から水分を飛ばして乾燥させ、さらに衣服に熱を加えて生地を整えることができる。
【０００５】
加熱装置は、脱水された衣服から水分を飛ばし乾燥させるために必要な熱量を衣服に加える。
加熱装置が衣服に加える熱量は、脱水された衣服から水分を飛ばして乾燥させるのには十分であるが、衣服の生地を整えるのには多過ぎることが知られている。
【発明の概要】
【発明が解決しようとする課題】
【０００６】
本発明は以上に述べた問題点に鑑み案出されたもので、新しい業務用クリーニング方法とその方法に用いるための業務用加熱プレス機を提供しようとする。
【課題を解決するための手段】
【０００７】
上記目的を達成するため、本発明に係る衣服を業務としてクリーニングする業務用クリーニング方法であって、衣服を洗う洗い工程と、洗われた衣服を熱風で乾燥させる乾燥工程と、乾燥した衣服を成形する成形工程と、を備え、前記成成形工程が、乾燥した衣服の特定の部位である特定部位に霧吹きする霧吹き工程と、霧吹きされた特定部位を加熱プレスする加熱プレス工程と、を有するものとする。
【０００８】
上記本発明の構成により、洗い工程は、衣服を洗う。乾燥工程は、洗われた衣服を熱風で乾燥させる。霧吹き工程は、乾燥した衣服の特定の部位である特定部位に霧吹きする。
加熱プレス工程は、霧吹きされた特定部位を加熱プレスする。
その結果、霧吹きした結果として付着した液滴を除去するのに十分な熱量を加えて衣服をプレスすることができる。
【０００９】
以下に、本発明の実施形態に係る業務用クリーニング方法を説明する。本発明は、以下に記載した実施形態のいずれか、またはそれらの中の二つ以上が組み合わされた態様を含む。
【００１０】
本発明の実施形態に係る業務用クリーニング方法は、衣服の前記特定部位を保持できるダミーまたは鏝である保持部材と鏝との間に衣服を挟んで加熱プレスする加熱プレス機を準備する準備工程と、衣服を洗う洗い工程と、洗われた衣服を乾燥させる乾燥工程と、乾燥した衣服を成形する成形工程と、を備え、前記成形工程が、乾燥した衣服の前記特定部位を前記保持部材に保持させるセット工程と、乾燥した衣服の特定部位に霧吹きする霧吹き工程と、前記保持部材に保持された特定部位を鏝でプレスして霧吹きされた特定部位を加熱プレスする加熱プレス工程と、を有する、ものとする。
上記の実施形態の構成により、準備工程は、衣服を保持する保持部材と鏝とに衣服を挟んで加熱プレスする加熱プレス機を準備する。洗い工程は、衣服を洗う。乾燥工程は、洗われた衣服を乾燥させる。成形工程は、乾燥した衣服を成形する。前記成形工程のセット工程は、乾燥した衣服の特定の部位である特定部位を保持部材に保持される。前記成形工程の霧吹き工程は、乾燥した衣服の特定部位に霧吹きする。前記成形工程の加熱プレス工程は、前記保持部材に保持された特定部位を鏝でプレスして霧吹きされた特定部位を加熱プレスする。
その結果、霧吹きした結果として付着した液滴を除去するのに略必要十分な熱量を加えて衣服をプレスすることができる。
【００１１】
本発明の実施形態に係る業務用クリーニング方法は、前記霧吹き工程が前記保持部材に保持された乾燥した衣服の特定部位に霧吹きする。
上記の実施形態の構成により、前記霧吹き工程は、前記霧吹き工程が前記保持部材に保持された乾燥した衣服の特定部位に霧吹きする。
その結果、容易に特定部位に霧吹きできる。
【００１２】
本発明の実施形態に係る業務用クリーニング方法は、複数の衣服の各々毎に前記洗い工程と前記乾燥工程と前記成形工程とを繰り返し、前記成形工程が複数の前記特定部位の各々毎に前記セット工程と前記霧吹き工程と前記加熱プレス工程と繰り返す。
上記の実施形態の構成により、複数の衣服の各々毎に前記洗い工程と前記乾燥工程と前記成形工程とを繰り返す。前記成形工程が複数の前記特定部位の各々毎に前記セット工程と前記霧吹き工程と前記加熱プレス工程と繰り返す、
その結果、一つの衣服について最適の熱量の入力によって衣服をクリーニングできる。
【００１３】
上記目的を達成するため、本発明に係る衣服を業務としてクリーニングするために衣服の特定の部位である特定部位を加熱プレスする業務用加熱プレス機であって、特定部位を保持できるダミーまたは鏝である保持部材と、特定部位に霧吹きできる霧吹き機器と、前記保持部材に保持された特定部位をプレスできる鏝と、前記保持部材に保持された特定部位を前記鏝でプレスした状態で特定部位を加熱する加熱装置と、を備える、ものとした。
【００１４】
上記本発明の構成により、保持部材は、特定部位を保持できるダミーまたは鏝である。霧吹き機器は、特定部位に霧吹きできる。鏝は、前記保持部材に保持された特定部位をプレスできる。加熱装置は、前記保持部材に保持された特定部位を前記鏝でプレスした状態で特定部位を加熱する。
その結果、加熱前に乾燥した衣服の特定部位に霧吹きすることで、霧吹きした結果として付着した液滴を除去するのに十分な熱量を加えて衣服をプレスすることができる。
【００１５】
以下に、本発明の実施形態に係る業務用加熱プレス機を説明する。本発明は、以下に記載した実施形態のいずれか、またはそれらの中の二つ以上が組み合わされた態様を含む。
【００１６】
本発明の実施形態に係る業務用加熱プレス機は、前記霧吹機器が前記保持部材に保持された特定部位に霧吹きできる。
上記の実施形態の構成により、前記霧吹機器が前記保持部材に保持された特定部位に霧吹きできる。
その結果、容易に特定部位に霧吹きできる。
【００１７】
上記目的を達成するため、本発明に係る衣服を業務としてクリーニングするために衣服の特定の部位である特定部位を加熱プレスする業務用加熱プレス機であって、特定部位を保持できるダミーまたは鏝である保持部材と、特定部位に霧吹きできる霧吹き機器と、前記保持部材に保持された特定部位をプレスできる鏝と、前記保持部材と前記鏝との相対位置を第一ポジションと第二ポジションとの間で往来させる往来機器と、前記保持部材に保持された特定部位を鏝でプレスした状態で特定部位を加熱する加熱装置と、を備え、前記保持部材と前記鏝との相対位置が前記第一ポジションに位置するときに特定部位を前記保持部材に保持させることをでき、前記保持部材と前記鏝との相対位置が前記第二ポジションに位置するときに前記保持部材に保持された特定部材を前記鏝でプレスできる、ものとした。
【００１８】
上記本発明の構成により、保持部材は、特定部位を保持できるダミーまたは鏝である。
霧吹き機器は、特定部位に霧吹きできる。鏝は、前記保持部材に保持された特定部位をプレスできる。往来機器は、前記保持部材と前記鏝との相対位置を第一ポジションと第二ポジションとの間で往来させる。加熱装置は、前記保持部材に保持された特定部位を鏝でプレスした状態で特定部位を加熱する。前記保持部材と前記鏝との相対位置が前記第一ポジションに位置するときに特定部位を前記保持部材に保持させることをできる。前記保持部材と前記鏝との相対位置が前記第二ポジションに位置するときに前記保持部材に保持された特定部材を前記鏝でプレスできる、
その結果、加熱前に乾燥した衣服の特定部位に霧吹きすることで、霧吹きした結果として付着した液滴を除去するのに十分な熱量を加えて衣服をプレスすることができる。
【００１９】
以下に、本発明の実施形態に係る加熱プレス機を説明する。本発明は、以下に記載した実施形態のいずれか、またはそれらの中の二つ以上が組み合わされた態様を含む。
【００２０】
本発明の実施形態に係る加熱プレス機は、前記保持部材と前記鏝との相対位置が前記第一ポジションから前記第二ポジションへ移動する過程のどこかで、前記霧吹き機器が前記保持部材に置かれた特定部位に霧吹きできる。
上記の実施形態の構成により、前記保持部材と前記鏝との相対位置が前記第一ポジションから前記第二ポジションへ移動する過程のどこかで、前記霧吹き機器が前記保持部材に置かれた特定部位に霧吹きできる。
その結果、容易に特定部位に霧吹きできる。
【発明の効果】
【００２１】
以上説明したように、本発明に係る衣服を業務としてクリーニングする業務用クリーニング方法は、その構成により、以下の効果を有する。
衣服を洗い、洗われた衣服を熱風で乾燥し、乾燥した衣服の特定部位に霧吹きし、霧吹きされた特定部位を加熱プレスする様にしたので、霧吹きした結果として付着した液滴を除去するのに十分な熱量を加えて衣服をプレスすることができる。
また、保持部材と鏝との間に衣服を挟んで加熱プレスする加熱プレス機を用い、乾燥した衣服の特定部位を保持部材で保持し、そこに鏝でプレスして霧吹きされた特定部位を加熱プレスする様にしたので、霧吹きした結果として付着した液滴を除去するのに十分な熱量を加えて衣服をプレスすることができる。
また、保持部材に保持された乾燥した衣服の特定部位に霧吹きする様にしたので、容易に特定部位に霧吹きできる。
また、一つの衣服について前記洗い工程と前記乾燥工程と前記成形工程とを実施し、前記成形工程で複数の前記特定部位の各々毎に前記セット工程と前記霧吹き工程と前記加熱プレス工程と繰り返す様にしたので、一つの衣服について最適の熱量の入力によって衣服をクリーニングできる。
【００２２】
以上説明したように、本発明に係る衣服を業務としてクリーニングするために衣服の特定の部位である特定部位を加熱プレスする業務用加熱プレス機は、その構成により、以下の効果を有する。
霧吹きされた特定部位を保持部材が保持し、保持部材に保持された特定部位を鏝でプレスし、その状態で特定部位を加熱する様にしたので、加熱前に乾燥した衣服の特定部位に霧吹きすることで、霧吹きした結果として付着した液滴を除去するのに十分な熱量を加えて衣服をプレスすることができる。
また、前記霧吹機器が前記保持部材に保持された特定部位に霧吹きできる様にしたので、容易に特定部位に霧吹きできる。
第一ポジションに位置する保持部材に特定部位を保持され、特定部位が霧吹きされ、往来して第二ポジションに位置する保持部材に保持された特定部位を鏝でプレスし、加熱プレスする様にしたので、加熱前に乾燥した衣服の特定部位に霧吹きすることで、霧吹きた結果として付着した液滴を除去するのに十分な熱量を加えて衣服をプレスすることができる。
また、保持部材が前記第一ポジションから前記第二ポジションへ移動する過程のどこかで、前記保持部材に保持された特定部位に霧吹きできる様にしたので、容易に特定部位に霧吹きできる。
従って、新しい業務用クリーニング方法とその方法に用いるための加熱プレス機を提供できる。
【図面の簡単な説明】
【００２３】
【図１】本発明の第一の実施形態に係る業務用クリーニング方法のフロー図である。
【図２】本発明の第二の実施形態に係る業務用クリーニング方法その１のフロー図である。
【図３】本発明の第二の実施形態に係る業務用クリーニング方法その２のフロー図である。
【図４】本発明の第二の実施形態に係る業務用クリーニング方法その３のフロー図である。
【図５】本発明の第一の実施形態に係る加熱プレス機のシステム図である。
【図６】本発明の第二の実施形態に係る加熱プレス機のシステム図である。
【図７】加熱プレス機の例その１の斜視図である。
【図８】加熱プレス機の例その２の斜視図である。
【図９】加熱プレス機の例その３の斜視図である。
【発明を実施するための形態】
【００２４】
以下、本発明を実施するための形態を、図面を参照して説明する。
【００２５】
本発明の第一の実施形態にかかる業務用クリーニング方法を、図を基に、説明する。
図１は、本発明の第一の実施形態に係る業務用クリーニング方法のフロー図である。
【００２６】
本発明の第一の実施形態にかかる業務用クリーニング方法は、衣服を業務としてクリーニングする方法である。
本発明の第一の実施形態にかかる業務用クリーニング方法は、洗い工程Ｓ２０と乾燥工程Ｓ３０と成形工程Ｓ４０とで構成される。
以下では、衣服をワイシャツであるとして、説明する。
【００２７】
複数の衣服の各々毎に、洗い工程Ｓ２０と乾燥工程Ｓ３０と成形工程Ｓ４０とを繰り返す。
【００２８】
洗い工程Ｓ２０は、衣服を洗う工程である。
例えば、洗い工程Ｓ２０は、衣服を水洗いする工程である。
洗い工程Ｓ２０は、洗浄装置を用いて衣服を洗う。
洗い工程Ｓ２０は、ドラム式洗浄装置を用いて衣服を洗ってもよい。
洗い工程Ｓ２０は、ドラム式洗浄装置を用いて衣服を洗い、濯ぎをしてもよい。
例えば、洗い工程Ｓ２０は、ドラム式洗浄装置を用いて衣服を洗い、濯ぎをして、脱水をする。
洗い工程Ｓ２０を実施すると、衣服の汚れが除去される。
【００２９】
乾燥工程Ｓ３０は、洗われた衣服を乾燥させる工程である。
乾燥工程Ｓ３０は、洗われた衣服を熱風で乾燥させてもよい。
乾燥工程Ｓ３０は、熱風乾燥装置を用いて洗われた衣服を熱風で乾燥させてもよい。
乾燥工程Ｓ３０は、ドラム式熱風乾燥装置を用いて洗われた衣服を熱風で乾燥させてもよい。
例えば、乾燥工程Ｓ３０は、ドラム式熱風乾燥装置を用いて洗われた衣服を熱風で乾燥させる。
乾燥工程Ｓ３０を実施すると、衣服は乾燥した状態になる。
【００３０】
成形工程Ｓ４０は、乾燥した衣服を成形する工程である。
成形工程Ｓ４０は、霧吹き工程Ｓ４２と加熱プレス工程Ｓ４３とで構成される。
【００３１】
成形工程で、複数の特定部位の各々毎に霧吹き工程Ｓ４２と加熱プレス工程Ｓ４３とを繰り返す。
成形工程で、複数の特定部位群の各々毎に霧吹き工程Ｓ４２と加熱プレス工程ｓ４３とを繰り返す。
特定部位群は、左右一対の特定部位で構成されてもよい。
例えば、特定部位群は、ワイシャツの左右一対のカフス、左右一対の袖、等である。
例えば、特定部材は、ワイシャツの衿、ボデイ、等である。
【００３２】
霧吹き工程Ｓ４２は、乾燥した衣服の特定の部位である特定部位に霧吹きする工程である。
ここで、特定部位は、後の加熱プレス工程Ｓ５０で加熱プレスする工程である。
例えば、乾燥したワイシャツの左右一対のカフに霧吹きする。
例えば、乾燥したワイシャツの左右一対の袖に霧吹きする。
例えば、乾燥したワイシャツの衿に霧吹きする。
霧吹き工程Ｓ４２を実施すると、衣服の特定部位に液滴が付着する。
【００３３】
加熱プレス工程Ｓ４３は、霧吹きされた特定部位を加熱プレスする工程である。
加熱プレス工程Ｓ４３は、保持部材に置かれ霧吹きされた特定部位を加熱プレスしてもよい。
加熱プレス工程Ｓ４３は、保持部材に保持された後で、霧吹きされた特定部位を加熱プレスしてもよい。
加熱プレス工程Ｓ４３は、特定部位を霧吹きされた後で、保持部材に保持された特定部位を加熱プレスしてもよい。
保持部材は、鏝を兼ねていてもよい。
保持部材は、下側の鏝を兼ねていてもよい。
加熱プレス工程Ｓ４３を実施すると、衣服の生地が整えられる。
また、従来の加熱プレス工程にくらべて、必要な熱量が少なくて済む。
その結果、衣服の生地につやがでる。
【００３４】
次に、本発明の第二の実施形態にかかる業務用クリーニング方法を、図を基に、説明する。
図２は、本発明の第二の実施形態に係る業務用クリーニング方法その１のフロー図である。
【００３５】
本発明の第二の実施形態にかかる業務用クリーニング方法は、衣服を業務としてクリーニングする方法である。
本発明の第二の実施形態にかかる業務用クリーニング方法は、準備工程Ｓ１０と洗い工程Ｓ２０と乾燥工程Ｓ３０と成形工程Ｓ４０とで構成される。
以下では、衣服をワイシャツであるとして、説明する。
【００３６】
複数の衣服の各々毎に、洗い工程Ｓ２０と乾燥工程Ｓ３０と成形工程Ｓ４０とを繰り返す。
【００３７】
準備工程Ｓ１０は、業務用加熱プレス機１００を準備する工程である。
業務用加熱プレス機１００は、保持部材１１０と鏝１３０との間に衣服を挟んで加熱プレスする装置である。
業務用加熱プレス機１００は、保持部材１１０と鏝１３０との間に衣服の特定部位を挟んで加熱プレスしてもよい。
保持部材１１０は、衣服の前記特定部位を保持できるダミーまたは鏝である。
ダミーは、人体の一部または全体の形状を模したものである。
下鏝は、下側の鏝である。
例えば、保持部材１１０は、プレス台である。
例えば、保持部材１１０は、鏝を兼ねる。
【００３８】
洗い工程Ｓ２０は、衣服を洗う工程である。
例えば、洗い工程Ｓ２０は、衣服を水洗いする工程である。
洗い工程Ｓ２０は、洗浄装置を用いて衣服を洗う。
洗い工程Ｓ２０は、ドラム式洗浄装置を用いて衣服を洗んてもよい。
洗い工程Ｓ２０は、ドラム式洗浄装置を用いて衣服を洗い、濯ぎをしてもよい。
例えば、洗い工程Ｓ２０は、ドラム式洗浄装置を用いて衣服を洗い、濯ぎをして、脱水をする。
洗い工程Ｓ２０を実施すると、衣服の汚れが除去される。
【００３９】
乾燥工程Ｓ３０は、洗われた衣服を乾燥させる工程である。
乾燥工程Ｓ３０は、洗われた衣服を熱風で乾燥させてもよい。
乾燥工程Ｓ３０は、熱風乾燥装置を用いて洗われた衣服を熱風で乾燥させてもよい。
乾燥工程Ｓ３０は、ドラム式熱風乾燥装置を用いて洗われた衣服を熱風で乾燥させてもよい。
例えば、乾燥工程Ｓ３０は、ドラム式熱風乾燥装置を用いて洗われた衣服を熱風で乾燥させる。
乾燥工程Ｓ３０を実施すると、衣服は乾燥した状態になる。
【００４０】
成形工程Ｓ４０は、乾燥した衣服を成形する工程である。
成形工程Ｓ４０は、セット工程Ｓ４１と霧吹き工程Ｓ４２と加熱プレス工程Ｓ４３とで構成される。
【００４１】
成形工程Ｓ４０で、複数の特定部位の各々毎にセット工程Ｓ４１と霧吹き工程Ｓ４２と加熱プレス工程Ｓ４３とを繰り返す。
成形工程Ｓ４０で、複数の特定部位群の各々毎にセット工程Ｓ４１と霧吹き工程Ｓ４２と加熱プレス工程ｓ４３とを繰り返す。
特定部位群は、互いに関連する複数の特定部位である。
特定部位群は、左右一対の特定部位で構成されてもよい。
例えば、特定部位群は、ワイシャツの左右一対のカフス、左右一対の袖、等である。
例えば、特定部材は、ワイシャツの衿、ボデイ、等である。
【００４２】
セット工程Ｓ４１は、乾燥した衣服の特定の部位である特定部位を保持部材１１０に保持させる工程である。
ここで、特定部位は、後の加熱プレス工程Ｓ５０で加熱プレスする工程である。
例えば、乾燥したワイシャツの左右一対のカフに霧吹きする。
例えば、乾燥したワイシャツの左右一対の袖に霧吹きする。
例えば、乾燥したワイシャツの衿に霧吹きする。
セット工程Ｓ４１を実施すると、衣服の特定部位が保持部材１１０に保持される。
【００４３】
霧吹き工程Ｓ４２は、乾燥した衣服の特定の部位である特定部位に霧吹きする工程である。
霧吹き工程Ｓ４２は、セット工程Ｓ４１を実施した後で実施しても良い。
図３は、セット工程Ｓ４１を実施した後で霧吹き工程Ｓ４２を実施する様子を示す。
例えば、保持部材１１０に保持された乾燥した衣服の特定部位に霧吹きしてもよい。
霧吹き工程Ｓ４２を実施した後で、セット工程Ｓ４１を実施してもよい。
図４は、霧吹き工程Ｓ４２を実施した後でセット工程Ｓ４１を実施する様子を示す。
霧吹き工程Ｓ４２を実施すると、衣服の特定部位に液滴が付着する。
【００４４】
加熱プレス工程Ｓ４３は、保持部材１１０に保持された特定部位を鏝１３０でプレスして霧吹きされた特定部位を加熱プレスする工程である。
保持部材１１０は、鏝を兼ねていてもよい。
保持部材１１０は、下側の鏝を兼ねていてもよい。
加熱プレス工程Ｓ４３を実施すると、衣服の生地が整えられる。
また、従来の加熱プレス工程にくらべて、必要な熱量が少なくて済む。
その結果、衣服の生地につやがでる。
【００４５】
次に、本発明の第一の実施形態にかかる業務用加熱プレス機を、図を基に、説明する。
図５は、本発明の第一の実施形態に係る業務用加熱プレス機のシステム図である。
【００４６】
本発明の第一の実施形態にかかる業務用加熱プレス機は、衣服を業務としてクリーニングするために衣服の特定の部位である特定部位を加熱プレスするものである。
本発明の第一の実施形態にかかる業務用加熱プレス機は、保持部材１１０と霧吹き機器１２０と鏝１３０と加熱装置１４０とで構成される。
【００４７】
保持部材１１０は、特定部位を保持するものである。
特定部位は、衣服の特定の部位である。
例えば、特定部位は、ワイシャツの左右一対のカフ、ワイシャツの左右一対の袖、ワイシャツの衿、等である。
保持部材１１０は、特定部位を保持できるダミーまたは鏝である。
例えば、保持部材１１０は、鏝を兼ねる。
【００４８】
霧吹き機器１２０は、特定部位に霧吹きできる機器である。
霧吹き機器１２０が、保持部材１１０に保持された特定部位に霧吹きできてもよい。
霧吹き機器１２０は、霧吹き用ノズル１２１をもつ。
霧吹き用ノズル１２１から吹かれた霧状の液体は特定部位に付着する。
【００４９】
鏝１３０は、保持部材１１０に保持された特定部位をプレスできるものである。
鏝１３０は、後述する加熱装置１４０により加熱されてもよい。
【００５０】
加熱装置１４０は、保持部材１１０に保持された特定部位を鏝でプレス状態で特定部位を加熱する機器である。
例えば、加熱装置１４０は、鏝１３０を加熱して、保持部材１１０に保持された特定部位を鏝でプレスした状態で特定部位を加熱する。
例えば、加熱装置１４０は、鏝１３０にスチームを導入して、保持部材１１０に保持された特定部位を鏝でプレスした状態で特定部位を加熱する。
【００５１】
次に、本発明の第二の実施形態にかかる業務用加熱プレス機１００を、図を基に、説明する。
図６は、本発明の第二の実施形態に係る業務用加熱プレス機のシステム図である。
【００５２】
本発明の第二の実施形態にかかる加熱プレス機は、衣服を業務としてクリーニングするために衣服の特定の部位である特定部位を加熱プレスするものである。
本発明の第二の実施形態にかかる加熱プレス機は、保持部材１１０と霧吹き機器１２０と鏝１３０と加熱装置１４０と往来機器１５０とで構成される。
【００５３】
保持部材１１０は、特定部位を保持するものである。
特定部位は、衣服の特定の部位である。
例えば、特定部位は、ワイシャツの左右一対のカフ、ワイシャツの左右一対の袖、ワイシャツの衿、等である。
保持部材１１０は、特定部位を保持できるダミーまたは鏝である。
例えば、保持部材１１０は、鏝を兼ねていてもよい。
【００５４】
霧吹き機器１２０は、特定部位に霧吹きできる機器である。
霧吹き機器１２０が、保持部材１１０に保持された特定部位に霧吹きできてもよい。
【００５５】
鏝１３０は、保持部材１１０に保持された特定部位をプレスできるものである。
鏝１３０は、後述する加熱装置１４０により加熱されてもよい。
【００５６】
加熱装置１４０は、保持部材１１０に保持された特定部位を鏝でプレスした状態で特定部位を加熱する機器である。
例えば、加熱装置１４０は、鏝１３０を加熱して、保持部材に保持された特定部位を鏝でプレスした状態で特定部位を加熱する。
例えば、加熱装置１４０は、鏝１３０にスチームを導入して、保持部材１１０に保持された特定部位を鏝でプレスした状態で特定部位を加熱する。
【００５７】
往来機器１５０は、保持部材と鏝との相対位置を第一ポジションと第二ポジションとの間で往来させる機器である。
保持部材１１０と鏝１３０との相対位置が第一ポジションに位置するときに特定部位を保持部材１１０で保持できる。
保持部材１１０と鏝１３０との相対位置が第二ポジションに位置するときに鏝１３０で保持部材１１０に保持された特定部位をプレスできる。
【００５８】
保持部材１１０と鏝１３０との相対位置が第一ポジションから第二ポジションへ移動する過程のどこかで、霧吹き機器１２０が保持部材１１０に保持された特定部位に霧吹きできてもよい。
【００５９】
また、本発明の実施形態に係る業務用クリーニング方法は、その構成により、以下の効果を有する。
衣服を洗い、洗われた衣服を熱風で乾燥し、乾燥した衣服の特定部位に霧吹きし、霧吹きされた特定部位を加熱プレスする様にしたので、霧吹きした結果として付着した液滴を除去するのに十分な熱量を加えて衣服をプレスすることができる。
また、保持部材１１０と鏝１３０との間に衣服を挟んで加熱プレスする加熱プレス機を用い、乾燥した衣服の特定部位を保持部材に保持され、そこを鏝でプレスし霧吹きされた特定部位を加熱プレスする様にしたので、霧吹きした結果として付着した液滴を除去するのに十分な熱量を加えて衣服をプレスすることができる。
また、保持部材１１０に保持された乾燥した衣服の特定部位に霧吹きする様にしたので、容易に特定部位に霧吹きできる。
また、一つの衣服について洗い工程と乾燥工程と成形工程とを実施し、成形工程で複数の特定部位の各々毎にセット工程と霧吹き工程と加熱プレス工程と繰り返す様にしたので、一つの衣服について最適の熱量の入力によって衣服をクリーニングできる。
【００６０】
また、本発明の実施形態に係る業務用加熱プレス機は、その構成により、以下の効果を有する。
霧吹きされた特定部位が保持部材１１０に保持され、保持部材１１０に保持された特定部位を鏝１３０でプレスして、その状態で特定部位を加熱する様にしたので、加熱前に乾燥した衣服の特定部位に霧吹きすることで、霧吹きした結果として付着した液滴を除去するのに必要十分な熱量を加えて衣服をプレスすることができる。
必要十分な熱量は、脱水した衣服を加熱プレスする従来のクリーニング方法の場合の熱量にくらべて少ない。
その結果、衣服の生地につやがでる。
また、霧吹き機器１２０が保持部材１１０に保持された特定部位に霧吹きできる様にしたので、容易に特定部位に霧吹きできる。
第一ポジションに位置する保持部材１１０に特定部位を保持され、特定部位が霧吹きされ、往来して第二ポジションに位置する保持部材１１０に保持された特定部位を鏝１３０でプレスし、加熱プレスする様にしたので、加熱前に乾燥した衣服の特定部位に霧吹きすることで、霧吹きた結果として付着した液滴を除去するのに十分な熱量を加えて衣服をプレスすることができる。
また、保持部材１１０が第一ポジションから第二ポジションへ移動する過程のどこかで、保持部材１１０に保持された特定部位に霧吹きできる様にしたので、容易に特定部位に霧吹きできる。
【００６１】
本発明は以上に述べた実施形態に限られるものではなく、発明の要旨を逸脱しない範囲で各種の変更が可能である。
図７、図８、図９は、既存の業務用加熱プレス機に本願の発明を適用した例を示す。
図７は、シングルボデイプレスに本願の発明を適用したものである。
図７は、ノズル１２１が胴体を模したダミーである保持部材１１０の前側と後側に配置される様子を示す。
図８は、シングルカラーカフスプレスに本願の発明を適用したものである。
図８は、ノズル１２１が下鏝１３７である保持部材１１０の斜め上方に配置される様子を示す。
図９は、シングルタックスリーブプレスに本願の発明を適用したものである。
図９は、ノズル１２１が左右の腕部を模したダミーである保持部材１１０の左右にそれぞれ配置される様子を示す。
図７の破線は、保持部材と鏝との相対位置が第一ポジションにある様子を示している。
図７の実線は、保持部材と鏝との相対位置が第二ポジションにある様子を示している。
図７、図８、図９において、加熱装置１４０は、スチーム配管１４１とスチーム入口１４２とで構成される。スチーム入口１４２は工場のスチーム供給機器に連結する。
図７において、保持部材１１０は人体の胴体の形状を模したダミーである。
図８において、保持部材１１０は下鏝である。
図９において、保持部材１１０は人体の腕の形状を模したダミーである。
【符号の説明】
【００６２】
１００  業務用加熱プレス機
１１０  保持部材
１２０  霧吹き機器
１３０  鏝
１３１  前鏝
１３２  後鏝
１３３  タック鏝
１３４  肩鏝
１３５  カラー鏝
１３６  上鏝
１３７  下鏝
１４０  加熱装置
１４１  スチーム配管
１４２  スチーム入口
１５０  往来機器
Ｓ１０  準備工程
Ｓ２０  洗い工程
Ｓ３０  乾燥工程
Ｓ４０  成形工程
Ｓ４１  セット工程
Ｓ４２  霧吹き工程
Ｓ４３  加熱プレス工程
【先行技術文献】
【特許文献】
【００６３】
【特許文献１】特開２００３−１２６５９９号
【特許文献２】特開２００６−１４１７４４号
【特許文献３】特開平１１−２７９９３４号
【図１】
2017189494.tif 000003
【図２】
2017189494.tif 000004
【図３】
2017189494.tif 000005
【図４】
2017189494.tif 000006
【図５】
2017189494.tif 000007
【図６】
2017189494.tif 000008
【図７】
2017189494.tif 000009
【図８】
2017189494.tif 000010
【図９】
2017189494.tif 000011